(57)【要約】【課題】光取り出し効率を良好にし、被照射面にて所望の照度を得ることができる照明装置を提供する。【解決手段】照明装置１ａは、複数のＬＥＤ２と、該複数のＬＥＤ２のうちの一部に対して設けられ、複数のＬＥＤ２のうちの一部から出射された光の指向性を変化させることにより配光を制御する広角配光レンズ３とを備え、広角配光レンズ３は、複数個のＬＥＤ２のうちの４０％以上５５％以下の個数のＬＥＤ２に対して設けられ、広角配光レンズ３は、照明装置１ａの中央寄りに配置されたＬＥＤ２に対して設けられる。【選択図】図１
2012014950.tif 000002
【特許請求の範囲】
【請求項１】
複数の光源と、
該複数の光源のうちの一部に対して設けられ、前記複数の光源のうちの一部から出射された光の指向性を変化させることにより配光を制御する配光制御手段と
を備えることを特徴とする照明装置。
【請求項２】
前記配光制御手段は、前記複数個の光源のうちの４０％以上５５％以下の個数の光源に対して設けられることを特徴とする請求項１に記載の照明装置。
【請求項３】
前記配光制御手段は、照明装置の中央寄りに配置された光源に対して設けられることを特徴とする請求項１または請求項２に記載の照明装置。
【請求項４】
前記光源の光によるグレアを低減する弱拡散性パネルを備えることを特徴とする請求項１から請求項３のいずれか１項に記載の照明装置。
【請求項５】
前記光源は、発光ダイオードであることを特徴とする請求項１から請求項４のいずれか1項に記載の照明装置。
【発明の詳細な説明】
【技術分野】
【０００１】
本発明は、光源と該光源からの光の配光を制御する配光制御手段とを備えた照明装置に関する。
【背景技術】
【０００２】
広い被照射面を少ない光源により均一に照らすためには、または、所望の領域のみを明るく照らすためには、光源に、レンズ、リフレクタ、または拡散部材（パネル、シート）等の光学要素を用いる構成が一般的である。広い被照射面を少ない光源により均一に照らす場合には、光源の指向性が低い白熱電球、または蛍光灯を用いることにより、リフレクタ等を用いて容易に広角配光を得ることが可能である。
【０００３】
基板上に配置された複数個の発光ダイオード（以下、「ＬＥＤ」と言う）と、この複数個の発光ダイオードを覆うように設けられたパネルとを備えた照明装置が近年使用されるようになった（特許文献１）。
【０００４】
このように、近年、光源として用いられるようになったＬＥＤは、光源の指向性が高いため、上記特許文献１の照明装置では、白熱電球や蛍光灯と同等の広角配光を得るために、複数のＬＥＤが配置された筐体の前面に乳白色の拡散板を設けて、前記複数の光源全体からの光を当該拡散板にて拡散することで照明装置から照射される光の配光角を広げている。
【先行技術文献】
【特許文献】
【０００５】
【特許文献１】特開２００９−２０６０６２号公報（２００９年９月１０日公開）
【発明の概要】
【発明が解決しようとする課題】
【０００６】
しかしながら、特許文献１に記載の照明装置のように、拡散性の強い乳白色の拡散板で複数の光源全体からの光を拡散して所望の配光を得る場合、以下のような問題があった。
【０００７】
まず、複数の光源全体からの光を拡散性の強い乳白色の拡散板で拡散することで、照明装置から照射される光の配光角を広げることは可能であるが、拡散性の強い拡散板は光の透過率が低いため、照明装置の光取り出し効率が低減し、効率よく被照射面で所望の照度が得られないという問題がある。
【０００８】
また、複数の光源全体からの光を拡散板にて均一に拡散するので、照射面の特定の領域にて照度を上げるまたは下げる等の、非均一な照度の被照射面を得るための配光制御ができず、被照射面にて所望の照度が得られないという問題がある。
【０００９】
本発明は斯かる事情に鑑みてなされたものであり、光取り出し効率を良好にし、被照射面にて所望の照度を得ることができる照明装置を提供することを目的とする。
【課題を解決するための手段】
【００１０】
本発明に係る照明装置は、複数の光源と、該複数の光源のうちの一部に対して設けられ、前記複数の光源のうちの一部から出射された光の指向性を変化させることにより配光を制御する配光制御手段とを備えることを特徴とする。
【００１１】
この特徴により、基板上に配置された前記複数個の光源のうちの一部から出射された指向性の高い光は、配光制御手段により配光を制御されてパネルに向い、複数個の光源のうちの残りから出射された指向性の高い光は、パネルに向う。このため、光取り出し効率を良好にし、被照射面にて所望の照度を得ることができる。
【００１２】
本発明に係る照明装置では、前記配光制御手段は、前記複数個の光源のうちの４０％以上５５％以下の個数の光源に対して設けられることが好ましい。
【００１３】
上記構成によれば、光取り出し効率を良好にし、被照射面にて所望の照度を得ることができる。
【００１４】
本発明に係る照明装置では、前記配光制御手段は、照明装置の中央寄りに配置された光源に対して設けられることことが好ましい。
【００１５】
上記構成によれば、前記複数個の光源のうちの一部から出射して配光制御手段により配光を制御された光は、基板の周囲に設けられた壁に衝突することなく、直接パネルに向かうので、好ましい配光特性を得ることができる。
【００１６】
本発明に係る照明装置では、前記光源の光によるグレアを低減する弱拡散性パネルを備えることが好ましい。
【００１７】
上記構成によれば、弱拡散性パネルは透過率が高いので、全光束の低下がより一層防止される。
【００１８】
本発明に係る照明装置では、前記光源は、発光ダイオードであることが好ましい。
【００１９】
上記構成によれば、基板上に配置された前記複数個の発光ダイオードのうちの一部から出射された指向性の高い光は、広角配光レンズにより配光を広げられてパネルに向かうので、光取り出し効率を良好にし、被照射面にて所望の照度を得ることができる。
【発明の効果】
【００２０】
本発明によれば、光取り出し効率を良好にし、被照射面にて所望の照度を得ることが可能となる。
【図面の簡単な説明】
【００２１】
【図１】（ａ）は実施の形態に係る照明装置の外観を示す斜視図であり、（ｂ）は上記照明装置からパネルを取り外した状態を示す斜視図であり、（ｃ）は上記照明装置の長手方向に沿った縦断面図であり、（ｄ）はその側面図である。
【図２】（ａ）は実施の形態に係る他の照明装置の外観を示す斜視図であり、（ｂ）は上記照明装置からパネルを取り外した状態を示す斜視図であり、（ｃ）は上記照明装置の下面図であり、（ｄ）上記照明装置からパネルを取り外した状態を示す下面図である。
【図３】（ａ）は実施の形態に係るさらに他の照明装置の外観を示す斜視図であり、（ｂ）は上記さらに他の照明装置からパネルを取り外した状態を示す斜視図であり、（ｃ）は上記さらに他の照明装置の下面図であり、（ｄ）は上記さらに他の照明装置からパネルを取り外した状態を示す下面図である。
【図４】（ａ）は実施の形態に係るさらに他の照明装置の外観を示す斜視図であり、（ｂ）は上記さらに他の照明装置からパネルを取り外した状態を示す斜視図であり、（ｃ）は上記さらに他の照明装置の長手方向に沿った縦断面図であり、（ｄ）上記さらに他の照明装置の側面図である。
【図５】（ａ）は実施の形態に係るさらに他の照明装置の外観を示す斜視図であり、上記さらに他の照明装置からパネルを取り外した状態を示す斜視図であり、（ｂ）は上記さらに他の照明装置の長手方向に沿った縦断面図であり、（ｃ）は上記さらに他の照明装置の側面図である。
【図６】実施の形態に係る照明装置の鉛直配光曲線図である。
【図７】実施の形態に係る照明装置の他の鉛直配光曲線図である。
【図８】比較例に係る照明装置の鉛直配光曲線図である。
【図９】比較例に係る照明装置の他の鉛直配光曲線図である。
【図１０】実施の形態に係る照明装置のさらに他の鉛直配光曲線図である。
【図１１】実施の形態に係る照明装置のさらに他の鉛直配光曲線図である。
【図１２】実施の形態に係る照明装置のさらに他の鉛直配光曲線図である。
【図１３】実施の形態に係る照明装置のさらに他の鉛直配光曲線図である。
【図１４】実施の形態に係る照明装置に設けられた発光ダイオードと広角配光レンズとの放射特性を示すグラフである。
【図１５】（ａ）（ｂ）は、従来のＬＥＤの配光パターンを示すグラフである。
【図１６】（ａ）は実施の形態に係る照明装置に設けられた狭角配光レンズによる鉛直配光曲線図であり、（ｂ）はそのデータリストである。
【発明を実施するための形態】
【００２２】
以下、本発明の実施の形態について、図１〜図１６を参照して詳細に説明する。
【００２３】
（実施の形態の構成）
図１（ａ）は実施の形態に係る照明装置１ａの外観を示す斜視図であり、図１（ｂ）は照明装置１ａから弱拡散性パネル４を取り外した状態を示す斜視図であり、図１（ｃ）は照明装置１ａの長手方向に沿った縦断面図であり、（ｄ）はその側面図である。
【００２４】
照明装置１ａは、細長い長方形状の基板５を備えている。基板５の上には、基板５の長手方向に沿って所定の間隔を空けて一列に並んだ光源としての複数個のＬＥＤ２が設けられている。また、基板５には、複数個のＬＥＤ２のうちの一部である、中央寄りに配置された複数個のＬＥＤ２のそれぞれに対して設けられ、この中央寄りに配置された複数個のＬＥＤ２から出射された光の指向性を変化させることで配光を制御する配光制御手段としての複数個の広角配光レンズ３が設けられている。広角配光レンズ３は、ＬＥＤ２から出射された光の指向性を変化させることで配光を広げて光を出射することができる。そして、照明装置１ａには、複数個のＬＥＤ２及び複数個の広角配光レンズ３を覆うようにＬＥＤからの光によって発生するグレア（眩しさ）を低減するための弱拡散性パネル４が設けられている。
【００２５】
このように構成された照明装置１ａでは、基板５上に配置された複数個のＬＥＤ２のうちの中央寄りに配置されたＬＥＤ２から出射された指向性の高い光は、広角配光レンズ３により配光を広げられて弱拡散性パネル４に向い、複数個のＬＥＤ２のうちの残りのＬＥＤ２から出射された指向性の高い光は、直接弱拡散性パネル４に向う。弱拡散性パネル４は、強拡散性の乳白色の拡散板に比較して光の透過率が高い。このため、グレア（眩しさ）を防ぎ、全光束の低下を防ぎながら、配光を広げることができる。
【００２６】
本実施の形態においては、全光束の低下を防ぎ、かつ、広角配光を得るために、光源として指向性を持つＬＥＤ２、及びＬＥＤ２と広角配光レンズ３とを組み合わせた構成を適切な割合で配置している。さらに、光の透過率が高くＬＥＤからの光によって発生するグレアを低減する光学部材（例えば半透明の弱拡散性パネル４）を備えている。
【００２７】
上記の適当な割合は、照明装置の構造、レンズ等の光学部材の特性によって決定されるものであるが、例えば、図１（ａ）〜（ｄ）に示すように直線形の構造物に直列にＬＥＤ２を配置するもので、かつ、レンズによって配光制御される光の配光特性が、後述する図１４に示した配光特性であれば、直列に配置される複数のＬＥＤ２のうち中央寄りに配置された４０％以上５５％以下に相当する数のＬＥＤ２に広角配光レンズ３を組み合わせればよい。
【００２８】
図２（ａ）は実施の形態に係る他の照明装置１ｂの外観を示す斜視図であり、図２（ｂ）は照明装置１ｂから弱拡散性パネル４を取り外した状態を示す斜視図であり、図２（ｃ）は照明装置１ｂの下面図であり、図２（ｄ）は照明装置１ｂから弱拡散性パネル４を取り外した状態を示す下面図である。
【００２９】
照明装置１ｂは、下面から見て正方形状を有しており、帯状の中央部を挟んで２枚ずつ配置された４枚の基板５を備えている。各基板５の上には、基板５の長手方向に沿って所定の間隔を空けて５列に並んだ複数個のＬＥＤ２が設けられている。また、基板５には、５列のＬＥＤ２のうちの照明装置の中央寄りに配置された３列のＬＥＤ２のそれぞれの中央寄りに４行３列に配置されたＬＥＤ２にそれぞれ対向して設けられて、この中央寄りに配置された４行３列のＬＥＤ２のそれぞれから出射された光の配光を広げる複数個の広角配光レンズ３が４行３列に設けられている。そして、照明装置１ｂには、１２個のＬＥＤ２及び複数個の広角配光レンズ３を覆うように弱拡散性パネル４が設けられている。
【００３０】
このように、ＬＥＤ２を複数列に配置した照明装置に対しても本発明を実施することができる。
【００３１】
図３（ａ）は実施の形態に係るさらに他の照明装置１ｃの外観を示す斜視図であり、図３（ｂ）はさらに他の照明装置１ｃから弱拡散性パネル４ｃを取り外した状態を示す斜視図であり、図３（ｃ）はさらに他の照明装置１ｃの下面図であり、図３（ｄ）はさらに他の照明装置１ｃから弱拡散性パネル４ｃを取り外した状態を示す下面図であり、図３（ｅ）はその正面図である。
【００３２】
照明装置１ｃは、下面から見て円形状をしており、ドーナッツ状の領域に、４枚の基板５ｃが９０度ずつ方向を変えた位置に配置されている。各基板５ｃ上には、円周方向に沿って所定の間隔を空けて４列に並んだ複数個のＬＥＤ２が設けられている。また、基板５には、４列のＬＥＤ２のうちの真ん中の２列のＬＥＤ２のそれぞれに対向して設けられて、この２列のＬＥＤ２のそれぞれから出射された光の配光を広げる複数個の広角配光レンズ３が２列に設けられている。そして、照明装置１ｃには、複数個のＬＥＤ２及び複数個の広角配光レンズ３を覆うように、下面から見てドーナッツ形状をした弱拡散性パネル４ｃが設けられている。
【００３３】
このように、ＬＥＤ２を円環状に配置した照明装置に対しても本発明を実施することができる。
【００３４】
図４（ａ）は実施の形態に係るさらに他の照明装置１ｄの外観を示す斜視図であり、図４（ｂ）はさらに他の照明装置１ｄから弱拡散性パネル４を取り外した状態を示す斜視図であり、図４（ｃ）はさらに他の照明装置１ｄの長手方向に沿った断面図であり、図４（ｄ）さらに他の照明装置１ｄの側面図である。
【００３５】
照明装置１ｄは、細長い長方形状の基板を備えている。基板の上には、基板の長手方向に沿って所定の間隔を空けて二列に並んだ複数個のＬＥＤが設けられている。各列のＬＥＤを覆う３個の集光レンズアレイ３ｄが二列に設けられている。各集光レンズアレイ３ｄは、対向する複数個のＬＥＤの一部から出射された光を集光して配光をそれぞれ絞る配光制御手段としての複数の挟角配光レンズを有している。即ち、集光レンズアレイ３ｄの中で、狭角配光レンズを設けている部分と、設けられていない部分とがあり、このように構成された集光レンズアレイ３ｄを光源となるＬＥＤ全体に対して設けることにより、光源の一部からの配光を制御するという構成となっている。そして、照明装置１ｄには、複数個のＬＥＤ２及び６個の集光レンズアレイ３ｄを覆うように弱拡散性パネル４ｄが設けられている。弱拡散性パネル４ｄの円で囲んで示した箇所は透明になっており、残りの箇所は乳白色になっている。
【００３６】
このように、集光レンズアレイ３ｄを設けた照明装置に対しても本発明を実施することができる。
【００３７】
図５（ａ）は実施の形態に係るさらに他の照明装置１ｅの外観を示し、さらに他の照明装置１ｅから弱拡散性パネルを取り外した状態を示す斜視図であり、図５（ｂ）はさらに他の照明装置１ｅの長手方向の縦断面図であり、図５（ｃ）はさらに他の照明装置１ｅの側面図である。
【００３８】
照明装置１ｅは、細長い長方形状の基板を備えている。この基板の上には、基板の長手方向に沿って所定の間隔を空けて二列に並んだ複数個のＬＥＤ２が設けられている。各列のＬＥＤのうち中央寄りに配置されたＬＥＤに対抗する集光レンズアレイ３ｄが二列に設けられている。各集光レンズアレイ３ｄは、対向する複数個のＬＥＤ２から出射された光を集光して配光をそれぞれ絞る配光制御手段としての複数の挟角配光レンズを有している。集光レンズアレイ３ｄは、対向する全てのＬＥＤにそれぞれ対応する配光制御手段を有しており、このように構成された集光レンズアレイ３ｄが、光源となるＬＥＤの一部に対して設けられている。但し、図４（ｂ）を参照して前述したように、集光レンズアレイ３ｄの中で、配光制御手段を設けている部分と、設けられていない部分とがあり、集光レンズアレイ３ｄが設けられた光源の一部の配光を制御するように構成してもよい。そして、照明装置１ｅには、複数個のＬＥＤ２及び２個の集光レンズアレイ３ｄを覆うように弱拡散性パネルが設けられている。
【００３９】
このように、集光レンズアレイ３ｄを設けた照明装置に対しても本発明を実施することができる。
【００４０】
（実施の形態の作用）
図６は、実施の形態に係る照明装置の鉛直配光曲線図である。図１に示す照明装置１ａの基板５のごとく細長い長方形状の基板に２１個のＬＥＤを直列に配置し、そのうちの中央寄りに配置された９個のＬＥＤに対応する位置に９個の広角配光レンズを設け、その上に拡散性の弱い半透明パネルを配置した照明装置の鉛直配光曲線図を示している。全光束は、目標仕様１９００ｌｍに対して＋５ｌｍの１９０５ｌｍであった。半値幅は６５度前後であり、十分な拡がり角が確保されていた。光透過率の高い半透明パネルを使用することで、光取り出し効率を良好にすることができ、さらに弱拡散性を有する為グレアを低減することも可能となる。
【００４１】
図７は、実施の形態に係る照明装置の他の鉛直配光曲線図である。図６に示す鉛直配光曲線図と同様に細長い長方形状の基板に２１個のＬＥＤを直列に配置し、そのうちの中央寄りに配置された９個のＬＥＤに対応する位置に９個の広角配光レンズを設け、その上に拡散性の無い透明パネルを配置した照明装置の鉛直配光曲線図を示している。全光束は、目標仕様１９００ｌｍに対して＋約７０ｌｍの１９７１ｌｍであった。また、拡がり角も十分に確保されていた。透明パネルは光の拡散性がないため、光の透過率が高く、全光束も半透明パネルを使用した図６の照明装置に比べ高くなる。しかしながら、透明パネルを使用する場合、グレアが発生するので、グレアを低減する目的においては半透明パネルを使用することが望ましい。
【００４２】
図８は、比較例に係る照明装置の鉛直配光曲線図である。複数個のＬＥＤを直列に配置し、広角配光レンズは配置せず、複数個のＬＥＤの上方に拡散性の強い乳白色パネルを配置した。即ち、従来技術に係る照明装置の鉛直配光曲線図を示している。全光束は、目標仕様１９００ｌｍに対し、−１３５ｌｍの１７６３ｌｍであった。半値幅は６０度であり、蛍光灯と同等の拡がりが認められた。しかしながら、光の拡散性の強い乳白色パネルを使用することで、光の透過率が低減し、全光束が図６の本発明に係る照明装置に比べ１４２ｌｍも低下している。
【００４３】
図９は、比較例に係る照明装置の他の鉛直配光曲線図である。複数個のＬＥＤを直列に配置し、広角配光レンズは配置せず、複数個のＬＥＤの上方に拡散性の弱い半透明パネルを配置した。全光束は、目標仕様１９００ｌｍに対し、＋１００ｌｍの２００８ｌｍであった。半値幅は５５度前後であり、光の拡がりが不十分であった。従って、広角配光レンズを使用せず半透明パネルのみ使用した場合、光取り出し効率は良好であるが、配光を十分に広げることはできない。
【００４４】
図１０は、実施の形態に係る照明装置のさらに他の鉛直配光曲線図である。複数個のＬＥＤを直列に配置し、そのうち中央寄りに配置されたＬＥＤに対応して広角配向レンズを設けた。全光束は、１８２５．２ｌｍであった。
【００４５】
図１１は、実施の形態に係る照明装置のさらに他の鉛直配光曲線図である。複数個のＬＥＤを直列に配置し、そのうち端に配置されたＬＥＤに対して広角配向レンズを設けた。全光束は、１８１１．５ｌｍであった。
【００４６】
図１０は広角配光レンズを照明装置の中央寄りに配置した場合の鉛直配光曲線図であり、図１１は広角配光レンズを照明装置の端に配置した場合の鉛直配光曲線図である。広角配光レンズを透過した光は、図１４に示すようなＬＥＤの照射方向から８０°付近の光の強度が強い指向性に変化するので、広角配光レンズを照明装置の端のＬＥＤに対して配置した場合、指向性が変化した広角配光レンズから出射された光は照明装置の筐体の外側の枠や内壁に遮蔽される割合が高くなる。従って、図１０の照明装置に比較して図１１の照明装置は全光束が低くなる。つまり、広角配光レンズは照明装置の中央寄りに配置することで、より光取り出し効率を良好にすることが可能となる。
【００４７】
さらに、照明装置の設置場所の周囲に壁がある場合、照明装置の中央寄りに広角配光レンズを配置することで、照明装置の端に広角配光レンズを配置する場合と比べて広角配光レンズから出射した光が壁に遮蔽される割合が低くなり、床などの照射面に光が届き易くなる。
【００４８】
図１２は、実施の形態に係る照明装置のさらに他の鉛直配光曲線図である。３５ｍｍピッチで２９個のＬＥＤを直列に２列配置した。そのうち中央寄りの２６個のＬＥＤのそれぞれに対して広角配光レンズを設け、両端の３２個のＬＥＤは直接光を照射するように構成した。出力は全て１４０［ｌｍ］／個であり、光源を覆うパネルは無しであった。
【００４９】
図１３は、実施の形態に係る照明装置のさらに他の鉛直配光曲線図である。３５ｍｍピッチで２９個のＬＥＤを直列に２列配置した。そのうち中央寄りの３８個のＬＥＤのそれぞれには、広角配光レンズを設け、両端の２０個のＬＥＤは直接光を照射するように構成した。出力は全て１４０［ｌｍ］／個であり、光源を覆うパネルは無しであった。
【００５０】
図１４は、実施の形態に係る照明装置に設けられた発光ダイオードに対して設けられた広角配光レンズから出射される光の放射特性を示すグラフである。図１５（ａ）（ｂ）は、配光制御手段としての広角配光レンズを設けていない従来のＬＥＤの配光パターンを示すグラフである。ＬＥＤのみを設け、広角配光レンズを設けない場合は、その配光特性は、図１５（ａ）（ｂ）に示すようにランバーシアンとなるが、本実施の形態に示すようにＬＥＤに対して広角配光レンズを設けることにより、図１４に示すようなＬＥＤの照射方向から８０°付近で光の強度が強い指向性を有する広角配光特性が表れる。なお、広角配光レンズは、図１４に示すＬＥＤの照射方向から８０°付近で光の強度が強い指向性に変化させるレンズに限らず、ＬＥＤからの光の配光を広げるべく指向性を変化させるレンズであればよい。
【００５１】
前述したように、図１（ａ）〜（ｄ）に示すような直線形の構造物に直列にＬＥＤ２を配置するもので、かつ、レンズの配光特性が、図１４に示した配光特性であれば、直列に配置される複数のＬＥＤ２のうち中央寄りの４０％以上５５％以下に相当する数のＬＥＤ２に対して広角配光レンズ３を設ければよい。また、図２（ａ）〜（ｄ）に示すような正方形状の照明装置、及び図３（ａ）〜（ｅ）に示すような円形状の照明装置についても、レンズの配光特性が、図１４に示した配光特性であれば、複数のＬＥＤ２のうち中央寄りの４０％以上５５％以下に相当する数のＬＥＤ２に対して広角配光レンズ３を設ければよい。
【００５２】
図１〜図３に示す照明装置は、広角配光レンズに代えて狭角配光レンズを設けても良い。また、図４及び図５に示す照明装置は、挟角配光レンズに代えて広角配光レンズを設けても良い。さらにまた、広角配光レンズまたは狭角配光レンズを設ける例を示したが、本発明はこれに限定されない。配光レンズ以外にも、光源からの光を拡散する拡散部材を光源の一部に設けて、拡散部材を設けた光源からの光にて配光を広げて照明し、拡散部材を設けていない光源にて特定の領域の照度を上げるべく照明することができる。
【００５３】
また、光源としてＬＥＤ以外にＥＬ（Ｅｌｅｃｔｒｏ  Ｌｕｍｉｎｅｓｃｅｎｃｅ）を用いることも可能であり、その場合、拡散光源であるＥＬの一部に狭角配光レンズを設けて被照射面の特定の領域のみ照度を上げて照明することができる。
【００５４】
図１６（ａ）は実施の形態に係る照明装置に設けられた狭角配光レンズによる鉛直配光曲線図であり、図１６（ｂ）はそのデータリストである。狭角配光レンズを複数のＬＥＤのうちの一部に対して設けることにより、照射面における机上などの絞り込まれた特定の位置のみを明るく照らすことができる、所謂タスク照明として使用することが可能となる。
【００５５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００５６】
本発明は、基板上に配置された複数個の発光ダイオードと、この複数個の発光ダイオードを覆うように設けられたパネルとを備えた照明装置に適用することができる。
【符号の説明】
【００５７】
１  照明装置
２  ＬＥＤ（光源）
３  広角配光レンズ（配光制御手段）
４  弱拡散性パネル
５  基板
【図１】
2012014950.tif 000003
【図２】
2012014950.tif 000004
【図３】
2012014950.tif 000005
【図４】
2012014950.tif 000006
【図５】
2012014950.tif 000007
【図６】
2012014950.tif 000008
【図７】
2012014950.tif 000009
【図８】
2012014950.tif 000010
【図９】
2012014950.tif 000011
【図１０】
2012014950.tif 000012
【図１１】
2012014950.tif 000013
【図１２】
2012014950.tif 000014
【図１３】
2012014950.tif 000015
【図１４】
2012014950.tif 000016
【図１５】
2012014950.tif 000017
【図１６】
2012014950.tif 000018